(57)【要約】【課題】毛髪１本１本で生じている光学現象を、コンピュター、ＣＧソフト及びそれらの操作スキルを必要とせずにシミュレートし、その結果を目視観察可能な光路として手軽に把握することができるようにする。【解決手段】毛髪に対して光を照射した際に生じる光学現象をシミュレートするための毛髪光学現象シミュレーションキットは、屈折率１．３〜２．７の光透過性樹脂、液体、ゲル、またはガラスのいずれかからなる１以上の柱状毛髪モデルを含む。【選択図】図１
2008275469.tif 000002
【特許請求の範囲】
【請求項１】
毛髪に対して光を照射した際に生じる光学現象をシミュレートするための毛髪光学現象シミュレーションキットであって、屈折率１．３〜２．７の光透過性樹脂、液体、ゲル、またはガラスのいずれかからなる１以上の柱状毛髪モデルを含む毛髪光学現象シミュレーションキット。
【請求項２】
該柱状毛髪モデルが、略円柱形状又は略楕円柱形状を有する請求項１記載の毛髪光学現象シミュレーションキット。
【請求項３】
該柱状毛髪モデルがその内部に微細孔または光拡散剤を有する請求項１又は２記載の毛髪光学現象シミュレーションキット。
【請求項４】
該柱状毛髪モデルがマット仕上げの表面を有する請求項１又は２記載の毛髪光学現象シミュレーションキット。
【請求項５】
該柱状毛髪モデルが互いに屈折率の異なるコアとシース層とを有する請求項１記載の毛髪光学現象シミュレーションキット。
【請求項６】
該柱状毛髪モデルが、コアとシース層との間にそれらと屈折率の異なる中間層を有する請求項１記載の毛髪光学現象シミュレーションキット。
【請求項７】
該柱状毛髪モデルの毛髪軸方向の厚みが、毛髪軸に対して垂直なその断面の長径よりも短い請求項１〜５のいずれかに記載の毛髪光学現象シミュレーションキット。
【請求項８】
該柱状毛髪モデルの外部形状が略円柱形状又は略楕円柱形状であり、毛髪軸に対して垂直なその断面の短径に対する長径の割合が、０．４〜１．０である請求項６記載の毛髪光学現象シミュレーションキット。
【請求項９】
少なくとも２種の柱状毛髪モデルを含み、両者が、色、屈折率、外部形状、又は内部構造もしくは表面の光学的性質の少なくともいずれかの点で相違する請求項１〜７のいずれかに記載の毛髪光学現象シミュレーションキット。
【請求項１０】
更に、該柱状毛髪モデルに光を照射するための光照射手段を有する請求項１〜８のいずれかに記載の毛髪光学現象シミュレーションキット。
【請求項１１】
請求項１〜９のいずれかに記載の毛髪光学現象シミュレーションキットを構成する１以上の柱状毛髪モデルに対し、光を照射し、柱状毛髪モデルの内外に生ずる光学現象を目視観察する、毛髪光学現象シミュレーション方法。
【請求項１２】
柱状毛髪モデルに対する光の照射角を変化させながら、柱状毛髪モデルの内外に生ずる光学現象を目視観察する請求項１０記載の毛髪光学現象シミュレーション方法。
【発明の詳細な説明】
【技術分野】
【０００１】
本発明は、毛髪に光が照射された際に生ずる反射、屈折等の光学現象をシミュレートするためのキット及び方法に関する。
【背景技術】
【０００２】
毛髪のツヤや輝きは、毛髪の色、カラーリングやパーマ処理の履歴等により人毎に、あるいは同一人でも観察時期により異なることが知られている。例えば、毛髪の色に関し、黒髪のツヤや輝きは、黒髪内部に入射した光が吸収されてしまうので内部反射光は実質的に生じず、従って表面反射光のみに依存していると言えるのに対し、ブロンド髪のツヤや輝きは、ブロンド髪内部に入射した光が内部反射して毛髪外部に出射するので、外部反射光だけでなく内部反射光にも依存している。
【０００３】
このような毛髪のツヤや輝き等の毛髪の内外に生じている光学現象を客観的に評価する従来の手法としては、毛髪に光を照射し、その反射光の強度をゴニオフォトメーターを用いて測定することが知られている。しかし、得られた反射光強度データは、表面反射光と内部反射光とを区別しておらず、また、データの評価の前提として、照射光の波長等の属性、毛髪の性質、照射光の入射角度等の測定条件の理解が必須となっており、このため、光学美容研究者以外の一般消費者やエステシャンは、ゴニオフォトメーターによる毛髪の反射光強度データあるいはそのプロット図を見ただけでは、評価対象である毛髪に生じている光学現象を理解することは非常に困難であった。
【０００４】
そこで、近年、コンピュータグラフィックス（ＣＧ）を用いて毛髪に生じる光学現象をシミュレートして、より現実に近い見え方の髪全体の画像を得ることが提案されている（非特許文献１）。この場合、毛髪１本の構造に基づいて、半球面への毛髪１本の光学特性（表面反射光・背面反射光の量と反射角度）を計算している。この技術では、屈折率・吸光係数・楕円率を構造パラメータとして用い、繊維が平面状に並んだ状態を仮想して、毛髪間の多重反射を考慮せずに髪の見え方をシミュレートしている。
【０００５】
また、別の新たなＣＧ手法により毛髪に生じる光学現象をシミュレートすることも提案されている（非特許文献２）。この場合、毛髪１本を内部が均一で同質の円柱状繊維であると仮定した上で、表面反射光と透過光と背面反射光とのみを考慮することにより１本の毛髪における光の挙動を単純化し、最終的にこのような毛髪が空間に多数配置された状態に光が入射したときの多重反射の様子をシミュレートしている。
【０００６】
【非特許文献１】Proceedings of SIGGRAPH 2003, Stephen R. Marschner, Henrik Wann Jensen, Mike Cammarano, Steve Worley, and Pat Hanrahan, (Cornell University, University of California-San Diego, Stanford University, Worley Laboratories)
【非特許文献２】Proceedings of SIGGRAPH 2006, Jonathan T. Moon and Stephen R. Marschner, (Cornell University)
【発明の開示】
【発明が解決しようとする課題】
【０００７】
しかしながら、非特許文献１及び２におけるシミュレーションにおいては、毛髪の色及びその断面の楕円率を変化させることにより生じる毛髪全体の見え方の変化が、エステシャンや一般消費者も比較的容易に理解することができるようにディスプレイに表示されるが、毛髪１本１本で生じている光学現象（例えば、屈折、表面反射、内部反射（背面反射、全反射等））の結果を目視観察可能な光路として把握することができないという問題があった。換言すれば、毛髪一本一本について毛髪の色、透過率、屈折率、外部形状、内部構造等の毛髪ファクターの光学的性質の変化に対する個々の毛髪における光学現象の変化を、相互に関係づけて手軽に表現し理解することが困難であった。従って、毛髪で生ずる光学現象に与える影響を考慮して、毛髪化粧料研究者が毛髪化粧料を開発することや、一般消費者が数ある毛髪化粧料の中から最適なものを選択することが困難であった。また、非特許文献１及び２におけるシミュレーションにおいては、シミュレーション実行者は、コンピュター、ＣＧソフト及びそれらの操作スキルが必要となり、一般消費者やエステシャン自身が、家庭や店頭等で毛髪１本１本で生じている光学現象を手軽に表現することは困難であった。
【０００８】
本発明は、以上の背景技術の問題点を解決しようとするものであり、毛髪１本１本で生じている光学現象を、コンピュター、ＣＧソフト及びそれらの操作スキルを必要とせずにシミュレートし、その結果を目視観察可能な光路として手軽に把握することができるようにすることを目的とする。
【課題を解決するための手段】
【０００９】
本発明者等は、光の照射に対応して表面反射光や内部反射光を目視観察可能な、所定の屈折率の光透過性樹脂からなる柱状毛髪モデルから、毛髪光学現象シミュレーションキットを構成することにより、上述の目的を達成できることを見出し、本発明を完成させた。
【００１０】
即ち、本発明は、毛髪に対して光を照射した際に生じる光学現象をシミュレートするための毛髪光学現象シミュレーションキットであって、屈折率１．３〜２．７の光透過性樹脂からなる１以上の柱状毛髪モデルを含む毛髪光学現象シミュレーションキットを提供する。
【００１１】
また、本発明は、上述の毛髪光学現象シミュレーションキットを構成する１以上の柱状毛髪モデルに対し、光を照射し、柱状毛髪モデルの内外に生ずる光学現象を目視観察する、毛髪光学現象シミュレーション方法を提供する。
【発明の効果】
【００１２】
本発明の毛髪光学現象シミュレーションキットを構成する柱状毛髪モデルは、屈折率１．３〜２．７の光透過性樹脂、液体、ゲル、またはガラスのいずれかからなる。従って、例えば、柱状毛髪モデルの側面から光を照射すると、表面反射光が生じると共に、その内部に入射した光は背面反射や角度によっては全反射が生じ、最終的に内部反射光として柱状毛髪モデルの外部へ出射する。柱状毛髪モデルの外部へ出射した光は、その一部が外部雰囲気中の微細な塵で拡散し、光路として認識でき、また、柱状毛髪モデルの外部へ出射した光の一部が、柱状毛髪モデルが置かれている机等のベース表面に当たることでも光路として認識できる。また、柱状毛髪モデルの内部に入射した光は、柱状毛髪モデルの内部に光拡散領域（微細孔）や光拡散物質が存在する場合には、そのために拡散するので、光路として認識できる。従って、本発明の毛髪光学現象シミュレーションキットによれば、毛髪１本レベルで生じている毛髪内外の光学現象をシミュレートでき、一般消費者やエステシャンであっても、毛髪内外の光学現象を可視化された光路を観察することにより直感的に理解できる。なお、２以上の柱状毛髪モデルを近接して配置し、これらに光を照射すれば、これらの相互作用も観察することができる。
【００１３】
また、毛髪光学現象シミュレーションキットを構成する毛髪モデルの色、その材質の光透過率・屈折率、毛髪モデルの外部形状や内部構造等に変化を与えた後に、シミュレーションを行うことにより、それらの変化が毛髪での光学現象に及ぼす影響を評価することができる。従って、毛髪光学現象シミュレーションキットは、新たな毛髪処理剤や毛髪化粧料の技術開発の指針を打ち出し、毛髪化粧料の開発支援をする有用なツールとなる。また一般消費者に対する毛髪処理剤・毛髪化粧料の効果説明、毛髪での光学現象を理解させる教育啓蒙の有用なツールともなる。
【発明を実施するための最良の形態】
【００１４】
本発明の毛髪光学現象シミュレーションキットは、毛髪に対して、通常、その毛髪軸の垂直方向から光を照射した際に生じる光学現象をシミュレートするためのキットである。このキットは、屈折率１．３〜２．７、好ましくは１．４〜１．７の光透過性樹脂、液体、ゲル、またはガラスのいずれかからなる１以上の柱状毛髪モデルを含む。
【００１５】
柱状毛髪モデルを構成する光透過性樹脂としては、アクリル樹脂、ポリエチレンテレフタレート、エポキシ樹脂、シリコーン、ポリエチレン、ポリプロピレン、ポリスチレン、ポリ塩化ビニル、ポリ塩化ビニルアルコール、ポリメチルメタクリレート、ポリカーボネート、ポリエーテルスルホン、ポリスルホン、ポリ乳酸等が挙げられる。中でも高い透明性が得られる点からアクリル樹脂が好ましい。あるいは水をはじめとする液体、ボリアクリルアミドをはじめとする有機ゲル、シリカーアルミナを原料とする無機ゲル、ガラスであってもよい。また、これらの樹脂等の光透過性の程度としては、通常、ＪＩＳ  Ｋ７１０５−１９８１  ５．５の測定法Ａ（又は測定法Ｂ）に基づく測定法で、着色前の材料そのものの値が厚さ３ｍｍの板による測定で光透過率Ｔｔが７０％以上、さらには８０％以上であることが好ましい。
【００１６】
柱状毛髪モデルの好ましい外部形状としては、略円柱形状（図１）、略楕円柱形状（図２Ａ、２Ｂ）、略矩形柱形状（図３）、略三角柱形状（図４）等が挙げられるが、これらの形状に限定されるものではない。また、柱状毛髪モデルの大きさは、ハンドリング容易性と観察容易性の観点から主として決定され、通常、高さが１〜１００ｃｍ、好ましくは２〜５０ｃｍ、より好ましくは３〜２５ｃｍ、軸に垂直な断面で、重心を通る一番長い部分が２〜５０ｃｍ、好ましくは３〜２５ｃｍ、より好ましくは５〜１５ｃｍである。
【００１７】
微細孔５ａ（図５Ａ）を有する柱状毛髪モデルは、カラーリング処理によりダメージを受けた毛髪に空隙が生ずることが知られている点から、そのようなカラーリング処理毛髪光学現象シミュレーションに適したものとなる。また、微細孔の形状としては球状空洞が一般的であるが、円柱状空洞、平板状空洞等でもよい。微細孔の大きさとしては、カラーリング処理のダメージにより形成される微細孔のレベルが好ましく、微細孔の重心を通る一番長い部分が０．１〜１０ｍｍ、好ましくは０．５ｍｍ〜５ｍｍ、さらに好ましくは１．０〜３ｍｍの大きさである。また、柱状毛髪モデル中の微細孔の存在量は、空隙率が０．１〜５０質量％、好ましくは０．５〜３０質量％、さらに好ましくは１〜２０質量％となる量である。
【００１８】
柱状毛髪モデルは、その内部における光路の観察を容易なものとするために、その内部に光拡散物質５ｂ（図５Ｂ）を含有することが好ましい。これらの大きさは、重心を通る一番長い部分が１００ｎｍ以上１００μｍ以下、好ましくは２００ｎｍ以上２０μｍ以下の大きさである。具体的物質としては、酸化チタン、酸化亜鉛、アルミナ、酸化鉄などの金属酸化物やシリカ、あるいはこれらの混合物からなる微粉末、あるいは、模型材料と屈折率の異なるポリマーが挙げられる。このような物質を柱状毛髪モデル全体の０．００１〜１質量％、好ましくは０．００２〜０．５質量％、さらに好ましくは０．００５〜０．１質量％を混入させるのが望ましい。
【００１９】
本発明において使用する柱状毛髪モデルの別の好ましい態様の一つは、キューティクルダメージをシミュレートすることを意図して、少なくとも側面がマット仕上げの表面を有するものが挙げられる。ここで、マット仕上げの程度としては、キューティクルのリフトアップやかけなどのダメージなどの実際キューティクルで起きている現象をの観点から、好ましくはＪＩＳ  Ｂ０６０１−１９９４で規定されている表面粗さＲｙが０．１〜２０μｍ、好ましくは０．４〜５μｍとなるレベルである。
【００２０】
毛髪は、コアのメデュラ層、その周囲のコルデックス層、更にその周囲（表面）のキューティクル層とからなる３層の内部構造を有する。従って、このような内部構造を有する毛髪について毛髪の光学現象を概略的にシミュレートするために、図６Ａに示すように、互いに屈折率の異なるコア６ａとシース層６ｂとから柱状毛髪モデルを構成することが好ましい。更に、実際の毛髪の光学現象をより正確にシミュレートするために、柱状毛髪モデルを、図６Ｂに示すように、コア６ａとシース層６ｂとの間に互いに屈折率の異なる中間層６ｃを設けた３層構造とすることが好ましい。後者の場合、コア６ａとシース層６ｂとは同じ屈折率としてもよい。コア６ａ、シース層６ｂ、中間層６ｃの材料としては、光透過性樹脂の中から適宜選択して使用することができる。また、必要に応じて、これらの層に独立的に微細孔や光拡散物質を含有させてもよい。また、各層間の界面をマット仕上げしてもよい。図６Ａ又は６Ｂのような内部構造を有する柱状毛髪モデルは、共押出し法等により形成することができる。
【００２１】
ところで、モンゴロイドの黒髪を意図した柱状毛髪モデルの場合、その形状は真円柱形状に近いものであり、毛髪軸に対して垂直なその断面の短径を長径で除した数値は０．７〜１．０である。また、コーカソイドのブロンド髪を意図した場合、その形状は略楕円柱形状であり、その短径を長径で除した数値は０．５〜０．８である。また、ネグロイドの黒髪を意図した場合、その形状は略三角柱形状であり、その短径を長径で除した数値は０．４〜０．８である。従って、柱状毛髪モデルが略円柱形状又は略楕円柱形状を有する場合には、毛髪軸に対して垂直なその断面の短径を長径で除した数値を、０．４〜１．０とすることが合理的である。
【００２２】
本発明の毛髪光学現象シミュレーションキットは、少なくとも２種の柱状毛髪モデルから構成することが好ましい。これにより、両者の相互作用をシミュレートすることができる。この場合、両者が、色、屈折率、外部形状、又は内部構造もしくは表面の光学的性質の少なくともいずれかの点で相違することが好ましい。
【００２３】
本発明の毛髪光学現象シミュレーションキットは、更に柱状毛髪モデルに光を照射するための光照射手段を有することが好ましい。光照射手段としては、プロジェクター光源、懐中電灯、通常の照明光源等の拡散型光源、レーザーポインタ、大陽光等の平行型光源、レンズを用いた光学系光源などの集光型光源が挙げられる。拡散光源、レーザーポインタのような点光源以外の平行光源、および集光光源においては、光源の色は、白色（可視波長域全体に連続したエネルギーをもつ光）が望ましい。レーザーポインタのような点光源においては、単色でもよい。
【００２４】
本発明の毛髪光学現象シミュレーションキットは、それを構成する１以上の柱状毛髪モデルに対し、通常、毛髪軸の垂直方向から光を照射し、柱状毛髪モデルの内外に生ずる光学現象、具体的には形成される光路を目視観察する毛髪光学現象シミュレーション方法に好ましく適用できる。この場合、柱状毛髪モデルに対する光の照射角を変化させながら、柱状毛髪モデルの内外に生ずる光学現象を目視観察することが毛髪軸を中心とした回転による光の反射をシミュレーションする点から好ましい。
【実施例】
【００２５】
以下、本発明を実施例により具体的に説明する。
【００２６】
実施例１
白いテーブルに、断面が楕円形状（長径１０ｃｍ、短径５ｃｍ）を有し、屈折率約１．５の黄色アクリル樹脂製の透明なブロンド毛髪モデル（高さ５ｃｍ）を１つ置き、プロジェクター（ＩＢＭ、Ｍ４００マイクロポータブル・プロジェクター）の白色光をその毛髪モデルよりも広い照射範囲で、毛髪モデルの断面形状の楕円長径と入射光とがなす角が約４５度になるように、毛髪モデルに照射した。なお、黄色アクリル樹脂製の透明なブロンド毛髪モデルは、以下の通りに作成した。
【００２７】
屈折率約１．５のアクリル樹脂から断面が楕円形状（長径１０ｃｍ、短径５ｃｍ）で、５ｃｍの高さを有するものに削り出した。樹脂用染料ＳＤＮ黄ＡＮ原液（販売会社  大阪化成品株式会社）と水を１：２０の割合で混合し、５％溶液を作り、この混合溶液を約７０℃まで温めた。アクリル模型を混合溶液に入れ攪拌し、希望濃度になるまで（約１０分）染める。染色後、中性洗剤で十分洗浄し、乾燥させた。
【００２８】
このときの様子を図７に示す。毛髪モデルの中を透過して集光した黄色の強い光７ａと、毛髪モデル内で反射して毛髪モデルの外部へ出射した黄色の強い光が７ｂとが観察された。なお、白色光は図７の左方から照射した。
【００２９】
次に、毛髪モデルの断面形状の楕円長径と入射光とがなす角を約９０度になるように毛髪モデルを回転させ、毛髪モデルに光を照射した。その様子を図８に示す。なお、白色光は図８の左方から照射した。その結果、毛髪モデルの中を透過して集光した黄色の強い光８ａと、毛髪モデル内で反射して毛髪モデルの外部へ出射した非常に弱い黄色の光８ｂが観察された。図７の場合とは異なる光挙動が観察された。よって、これらの条件で毛髪に光が照射されたときの毛髪の内外の光学現象を光路を媒介として明瞭に理解することができた。更に、入射光と毛髪とのなす角の違いにおける、毛髪内外に生じる光学現象の相違を明瞭に理解することができた。
【００３０】
実施例２
実施例１と同様に、白いテーブルに、断面が楕円形状（長径１０ｃｍ、短径５ｃｍ）を有し、屈折率約１．５の黄色アクリル製の透明なブロンド毛髪モデル（高さ５ｃｍ）を１つ置き、プロジェクターの白色光をその毛髪模型よりも広い照射範囲で、毛髪模型の断面形状の楕円長径と入射光とがなす角が約４５度になるように、毛髪モデルに照射した。また、白いテーブルに、樹脂用染料ＳＤＮ茶ＡＮ  （販売会社  大阪化成品株式会社）で茶色に着色した以外はブロンド毛髪モデルと同様のブラウン毛髪モデルを１つ置き、同様に光を照射した。
【００３１】
それぞれの毛髪モデルを用いて得られたシミュレーションの結果を図９Ａ及び９Ｂに示す。なお、白色光は図９Ａ、９Ｂの左方から照射した。その結果、前者のブロンド毛髪モデルを用いたシミュレーション（図９Ａ）では、毛髪モデルの中を透過して集光した黄色の強い光９ａと毛髪モデル内で反射して毛髪モデルの外部へ出射した黄色の強い光９ｂが観察されたのに対して、ブラウン毛髪モデルを用いたシミュレーション（図９Ｂ）では、毛髪モデル内を透過した光は、観察が困難なほどが非常に弱かった。よって、これらの条件でシミュレーションを行うことにより、色の異なる毛髪に光が照射されたときの光学現象の違いを明瞭に理解することができた。
【００３２】
実施例３
断面が楕円形状（長径１０ｃｍ、短径５ｃｍ）を有し、屈折率約１．５の黄色アクリル製の透明なブロンド毛髪モデル（高さ５ｃｍ）を白いテーブルに図１０に示すように２つ用意した。
【００３３】
１つ目の毛髪モデル１０Ａの断面形状の楕円長径と入射光とがなす角が約４５度になるように、プロジェクターの白色光をその毛髪モデルよりも広い照射範囲で毛髪モデルに照射した。なお、白色光は図１０の左方から照射した。次に、この毛髪モデル１０Ａ内部で反射して毛髪モデルの外部へ出射した黄色の強い光１０ａと２つ目の毛髪モデル１０Ｂの楕円長径とのなす角が約１０度になるように毛髪モデル１０Ｂを配置した。毛髪モデル１０Ａ内で反射して毛髪モデル１０Ａの外部へ出射した強い光１０ａが、さらに次の毛髪モデル１０Ｂ内に入射し、内部反射して毛髪モデル１０Ｂの外部へ黄色の強い光１０ｂが出射した。この強い光１０ｂの出射方向は、プロジェクターの白色光りの照射方向と同じ方向になった。よって、１個以上の毛髪に光が照射された場合、それぞれの毛髪モデル内外で生じる光学現象が相互作用を起こし得ることが明瞭に理解することができた。
【００３４】
実施例５
実施例１と同様に、白いテーブルに、断面が楕円形状（長径１０ｃｍ、短径５ｃｍ）を有し、屈折率約１．５の黄色アクリル製の透明なブロンド毛髪モデル（高さ５ｃｍ）を１つ置き、プロジェクターの白色光をその毛髪模型よりも広い照射範囲で、毛髪模型の断面形状の楕円長径と入射光とがなす角が約４５度になるように、毛髪モデルに照射した。このとき、毛髪モデルの中を透過して集光した黄色の強い光と、毛髪モデル内で反射して毛髪モデルの外部へ出射した黄色の強い光が観察された。
【産業上の利用可能性】
【００３５】
本発明の水毛髪光学現象シミュレーションキットによれば、コンピュター、ＣＧソフト及びそれらの操作スキルを必要とせずに、毛髪１本レベルで生じている毛髪内外の光学現象をシミュレートでき、一般消費者やエステシャンに対しても、毛髪内外の光学現象を可視化された光路を観察させることにより直感的に理解させることができる。また、毛髪モデルの色、その材質の光透過率・屈折率、毛髪モデルの外部形状や内部構造等に変化を与えた後に、シミュレーションを行うことにより、それらの変化が毛髪での光学現象に及ぼす影響を評価することができ、毛髪処理剤や毛髪化粧料の技術開発の指針を打ち出し、毛髪化粧料の開発支援をする有用なツールとして有用である。
【図面の簡単な説明】
【００３６】
【図１】略円柱状毛髪モデルの斜視図である。
【図２Ａ】略楕円柱状毛髪モデルの斜視図である。
【図２Ｂ】略楕円柱形状毛髪モデルの斜視図である。
【図３】略矩形柱状毛髪モデルの斜視図である。
【図４】略三角柱状毛髪モデルの斜視図である。
【図５Ａ】内部に微細孔を有する柱状毛髪モデルの斜視図である。
【図５Ｂ】内部に光拡散剤を有する柱状毛髪モデルの斜視図である。
【図６Ａ】コア部とシース部とを有する柱状毛髪モデルの斜視図である。
【図６Ｂ】コア部と中間部とシース部とを有する柱状毛髪モデルの斜視図である。
【図７】実施例１のブロンド毛髪モデルの毛髪光学現象シミュレーションの説明図である。
【図８】実施例１のブロンド毛髪モデルの毛髪光学現象シミュレーションの説明図である。
【図９Ａ】実施例２のブロンド毛髪モデルの毛髪光学現象シミュレーションの説明図である。
【図９Ｂ】実施例２のブラウン毛髪モデルの毛髪光学現象シミュレーションの説明図である。
【図１０】実施例３の２つのブロンド毛髪モデルを用いたときの毛髪光学現象シミュレーションの説明図である。
【図１１】実施例４の計算機を用いて行った仮想上の毛髪光学現象シミュレーションの説明図である。
【符号の説明】
【００３７】
５ａ  微細孔
５ｂ  光拡散物質
６ａ  コア
６ｂ  シース層
６ｃ  中間層
７ａ、７ｂ、８ａ、９ａ、９ｂ、１０ａ、１０ｂ  黄色の強い光
８ｂ  黄色の弱い光
１０Ａ、１０Ｂ  ブロンド毛髪モデル
【図１】
2008275469.tif 000003
【図２Ａ】
2008275469.tif 000004
【図２Ｂ】
2008275469.tif 000005
【図３】
2008275469.tif 000006
【図４】
2008275469.tif 000007
【図５Ａ】
2008275469.tif 000008
【図５Ｂ】
2008275469.tif 000009
【図６Ａ】
2008275469.tif 000010
【図６Ｂ】
2008275469.tif 000011
【図１１】
2008275469.tif 000012
【図７】
2008275469.tif 000013
【図８】
2008275469.tif 000014
【図９Ａ】
2008275469.tif 000015
【図９Ｂ】
2008275469.tif 000016
【図１０】
2008275469.tif 000017